(57)【要約】開示の本発明によるフィルター組立体は、ハウジング、ハウジングの内部に内蔵されるフィルター、及びハウジングの上部に備えられるカートリッジ連結部を含むフィルターカートリッジと、前記フィルターカートリッジが着脱可能に結合するようにカートリッジ連結部に連結されるヘッド連結部、水を前記フィルターカートリッジに流入させる入水口、及び前記フィルターカートリッジによって浄水された水を外部に排出させる出水口を含むヘッド部とを含む。前記ヘッド部は、ヘッド連結部とフィルターカートリッジ連結部を連結する位置である第１位置と、ヘッド連結部とフィルターカートリッジ連結部を分離させる位置である第２位置との間で移動可能であり、前記ヘッド部に支持可能に取り付けられるフィルター着脱レバーを含む。
2009528166.tif 000002
【特許請求の範囲】
【請求項１】
ハウジングの内部にフィルターが内蔵され、前記ハウジングの上部にカートリッジ連結部を備えるフィルターカートリッジ；及び
前記フィルターカートリッジが着脱可能に結合するように、前記カートリッジ連結部に連結されるヘッド連結部を備え、外部の水を前記フィルターカートリッジで流入させ、前記フィルターカートリッジによって浄水された水を外部に排出させる入水口及び出水口が形成されるヘッド部；を含み、
前記ヘッド部は、前記ヘッド連結部と前記フィルターカートリッジを連結する位置である第１位置と、前記ヘッド連結部と前記フィルターカートリッジを分離させる位置である第２位置との間で移動可能であり、前記ヘッド部に支持可能に取り付けられるフィルター着脱レバーを含むことを特徴とする、フィルター組立体。
【請求項２】
前記フィルターカートリッジは複数であり、前記ヘッド部に形成された入水口及び出水口もそれぞれ複数であることを特徴とする、請求項１に記載のフィルター組立体。
【請求項３】
前記ヘッド部は、前記入水口と出水口を前記フィルターカートリッジと連通させるそれぞれの流路が一体に形成され、別の連結手段又はフィッティング手段が不要であることを特徴とする、請求項１又は２に記載のフィルター組立体。
【請求項４】
前記フィルター着脱レバーは、
レバー体；
前記レバー体から前記レバー体の外周方向に突設されるカラーフランジ；及び
前記レバー体から前記レバー体の長手方向に延設され、その端部にロック突起を備える延長部；を含み、
前記フィルター着脱レバーのレバー体の内面と前記ヘッド連結部の外面との間にはレバースプリングが挿入されて、前記フィルター着脱レバーに弾性力を加えることを特徴とする、請求項１又は２に記載のフィルター組立体。
【請求項５】
前記ヘッド連結部は、
前記レバースプリングが外周面に取り付けられる連結部本体；及び
前記連結部本体に形成された固定スリットに挿入され、前記固定スリットを介して前記連結部本体の内側方向又は外側方向に移動する固定部材；を含み、
前記固定部材は前記フィルター着脱レバーが前記第１位置にあるとき、前記フィルター着脱レバーのレバー体の拘束によって前記連結部本体の内側方向に移動して前記カートリッジ連結部に形成された固定溝に挿入されることにより、前記ヘッド連結部とカートリッジ連結部が締結されることを特徴とする、請求項４に記載のフィルター組立体。
【請求項６】
前記ヘッド連結部は、
前記連結部本体の内周面の周囲に形成されたプッシュ部材収容部に挿入されるプッシュ部材；及び
前記プッシュ部材収容部に挿入され、前記プッシュ部材に一方向に弾性力を印加するプッシュスプリング；をさらに含み、
前記固定部材は、前記フィルター着脱レバーが前記第１位置で第２位置に移動するとき、前記レバー体の拘束から解除され、同時に前記プッシュ部材の圧力によって前記連結部本体の外側方向に移動して前記カートリッジ連結部の固定溝から離脱されることにより、前記ヘッド連結部とカートリッジ連結部が分離されることを特徴とする、請求項５に記載のフィルター組立体。
【請求項７】
前記固定部材は、前記フィルター着脱レバーが前記第２位置に移動して前記連結部本体の外側方向に移動するとき、前記フィルター着脱レバーのレバー体の端部を拘束することにより、前記フィルター着脱レバーが前記第２位置に固定されることを特徴とする、請求項６に記載のフィルター組立体。
【請求項８】
前記カートリッジ連結部は、その外面に前記固定溝が形成され、前記ヘッド連結部と連結されるとき、前記カートリッジ連結部の加圧面が前記プッシュ部材を押し上げて、前記プッシュ部材が前記固定部材の拘束を解除するようにし、
前記フィルター着脱レバーのレバー体は、前記レバースプリングの弾性力によって拘束が解除された前記固定部材を加圧し、前記フィルター着脱レバーは前記第２位置から第１位置に移動することを特徴とする、請求項７に記載のフィルター組立体。
【請求項９】
前記複数のフィルターカートリッジは、
前記ヘッド部から流入された水を１次に浄化するプレフィルターが含まれた第１フィルターをハウジングの内部に備える第１フィルターカートリッジ；
前記第１フィルターカートリッジを通過した水を２次に浄化するメンブレインフィルターが含まれた第２フィルターをハウジングの内部に備える第２フィルターカートリッジ；及び
前記第２フィルターカートリッジを通過した水を３次に浄化するカーボンフィルターが含まれた第３フィルターをハウジングの内部に備える第３フィルターカートリッジ；を含むことを特徴とする、請求項２に記載のフィルター組立体。
【請求項１０】
前記第１及び第３フィルターカートリッジに結合されるそれぞれのヘッド連結部は、入水口と出水口がそれぞれ一つずつ形成され、
前記第２フィルターカートリッジに結合されるヘッド連結部は、入水口、出水口及び排水口が形成されることを特徴とする、請求項９に記載のフィルター組立体。
【請求項１１】
前記ヘッド部は、
前記第１フィルターカートリッジの流入口と連通して、外部から供給された水を前記第１フィルターに流入させる第１入水口；
前記第１フィルターカートリッジの流出口と連通して、第１フィルターを通過した水が排出される第１出水口；
前記第２フィルターカートリッジの流入口と連通して、前記第１出水口を介して排出された水を前記第２フィルターに流入させる第２入水口；
前記第２フィルターカートリッジの排出口と連通して、前記第２フィルターによって濾過された生活廃水が排出される排水口；
前記第２フィルターカートリッジの流出口と連通して、第２フィルターを通過した水が排出される第２出水口；
前記第３フィルターカートリッジの流入口と連通して、前記第２出水口を介して排出された水を前記第３フィルターに流入させる第３入水口；及び
前記第３フィルターカートリッジの流出口と連通して、第３フィルターを通過した水が排出される第３出水口；を含むことを特徴とする、請求項１０に記載のフィルター組立体。
【請求項１２】
前記ヘッド部は、前記ヘッド部のそれぞれの入水口、出水口及び排水口と、これに対応するフィルターカートリッジの流入口、流出口及び排出口を互いに連通させる複数の連結流路を含み、前記連結流路上には、前記フィルターカートリッジが前記ヘッド部から分離されるとき、前記それぞれの入水口を介して流入される水を遮断するチェックフィッティングが取り付けられることを特徴とする、請求項１１に記載のフィルター組立体。
【請求項１３】
前記ヘッド部は、
前記第２出水口と第３入水口を連通させる連結流路であるコネクターをさらに含むことを特徴とする、請求項１１に記載のフィルター組立体。
【請求項１４】
前記カートリッジ連結部の外面上に軸方向に形成されるキー溝；及び
前記カートリッジ連結部が結合されるヘッド連結部の内側面上に、前記キー溝と対応して形成された突出部；をさらに含むことを特徴とする、請求項１又は２に記載のフィルター組立体。
【発明の詳細な説明】
【発明の詳細な説明】
【０００１】
［技術分野］
本発明は、汚染された水を浄化するフィルターを浄水装置に装着可能なフィルター組立体に係り、より詳しくは複数のフィルターカートリッジが装着されるコネクターヘッド部を一つのモジュールで構成し、またフィルターカートリッジの着脱を容易にしたフィルター組立体に関するものである。
【０００２】
[背景技術]
フィルターは、浄水器、イオン水器などの特定の機能水を提供する装置に使用される濾過手段を意味する。水質汚染がひどくなるにつれて、飲用水又は用水の衛生水準に対する使用者の関心が非常に高くなっている。このような状況に応じて、フィルターが含まれた浄水器などの需要が急増しており、現在多数の家庭又は食堂などで一般の使用者が浄水器などを使用している。
【０００３】
かかる浄水器などに使用されるフィルターは当然一定の入れ替え周期があるもので、フィルターは浄水器などの装置の内部に位置することが一般的なので、浄水器などの装置に関する専門知識のない一般の使用者がフィルターを入れ替るためには、製造社の専門要員によらなければならないのが一般的である。
【０００４】
たとえ使用者が自らフィルターを入れ替ろうとしても、組み立てられたフィルターは複雑な構造を有する部品で堅く組み立てられて装着されているため、専門知識なしにフィルターを入れ替るのには無理がある。したがって、使用者の立場では、周期的にフィルターを入れ替る度に追加の費用がかかることができ、これは製造者の立場でも同様である。
【０００５】
また、複雑な構造の部品でフィルターを組立てるためには、多くの部品が必要なので、それぞれの関連部品を生産するための原材料費用が更なる負担になり、これは生産原価の上昇と使用者の費用の負担に繋がる問題点がある。特に、浄水器などに使用されるフィルターは、一つのみ設置されるものではなく、複数が設置されるので、このような作業と負担は高くなる。
【０００６】
[発明の開示]
[技術的課題]
本発明は前記のような点に鑑みてなされたもので、簡単な構造を有し、使用者が自ら容易に脱着可能なフィルター組立体を提供することをその目的とする。
【０００７】
[技術的解決手段]
前記目的を達成するために、本発明は、フィルター組立体は、ハウジングの内部にフィルターが内蔵され、前記ハウジングの上部にカートリッジ連結部を備えるフィルターカートリッジ；及び前記フィルターカートリッジが着脱可能に結合するように、前記カートリッジ連結部に連結されるヘッド連結部を備え、外部の水を前記フィルターカートリッジで流入させ、前記フィルターカートリッジによって浄水された水を外部に排出させる入水口及び出水口が形成されるヘッド部；を含み、前記ヘッド部は、前記ヘッド連結部と前記フィルターカートリッジを連結する位置である第１位置と、前記ヘッド連結部と前記フィルターカートリッジを分離させる位置である第２位置との間で移動可能であり、前記ヘッド部に支持可能に取り付けられるフィルター着脱レバーを含む、フィルター組立体を提供する。
【０００８】
前記フィルターカートリッジは複数であり、前記ヘッド部に形成された入水口及び出水口もそれぞれ複数であることが好ましい。
【０００９】
前記ヘッド部は、前記入水口と出水口を前記フィルターカートリッジと連通させるそれぞれの流路が一体に形成され、別の連結手段又はフィッティング手段が不要であることが好ましい。
【００１０】
前記フィルター着脱レバーは、レバー体；前記レバー体から前記レバー体の外周方向に突設されるカラーフランジ；及び前記レバー体から前記レバー体の長手方向に延設され、その端部にロック突起を備える延長部；を含み、前記フィルター着脱レバーのレバー体の内面と前記ヘッド連結部の外面との間にはレバースプリングが挿入されて、前記フィルター着脱レバーに弾性力を加えることが好ましい。
【００１１】
前記ヘッド連結部は、前記レバースプリングが外周面に取り付けられる連結部本体；及び前記連結部本体に形成された固定スリットに挿入され、前記固定スリットを介して前記連結部本体の内側方向又は外側方向に移動する固定部材；を含み、前記固定部材は前記フィルター着脱レバーが前記第１位置にあるとき、前記フィルター着脱レバーのレバー体の拘束によって前記連結部本体の内側方向に移動して前記カートリッジ連結部に形成された固定溝に挿入されることにより、前記ヘッド連結部とカートリッジ連結部が締結されることが好ましい。
【００１２】
前記ヘッド連結部は、前記連結部本体の内周面の周囲に形成されたプッシュ部材収容部に挿入されるプッシュ部材；及び前記プッシュ部材収容部に挿入され、前記プッシュ部材に一方向に弾性力を印加するプッシュスプリング；をさらに含み、前記固定部材は、前記フィルター着脱レバーが前記第１位置で第２位置に移動するとき、前記レバー体の拘束から解除され、同時に前記プッシュ部材の圧力によって前記連結部本体の外側方向に移動して前記カートリッジ連結部の固定溝から離脱されることにより、前記ヘッド連結部とカートリッジ連結部が分離されることが好ましい。
【００１３】
前記固定部材は、前記フィルター着脱レバーが前記第２位置に移動して前記連結部本体の外側方向に移動するとき、前記フィルター着脱レバーのレバー体の端部を拘束することにより、前記フィルター着脱レバーが前記第２位置に固定されることが好ましい。
【００１４】
前記カートリッジ連結部は、その外面に前記固定溝が形成され、前記ヘッド連結部と連結されるとき、前記カートリッジ連結部の加圧面が前記プッシュ部材を押し上げて、前記プッシュ部材が前記固定部材の拘束を解除するようにし、前記フィルター着脱レバーのレバー体は、前記レバースプリングの弾性力によって拘束が解除された前記固定部材を加圧し、前記フィルター着脱レバーは前記第２位置から第１位置に移動することが好ましい。
【００１５】
前記複数のフィルターカートリッジは、前記ヘッド部から流入された水を１次に浄化するプレフィルターが含まれた第１フィルターをハウジングの内部に備える第１フィルターカートリッジ；前記第１フィルターカートリッジを通過した水を２次に浄化するメンブレインフィルターが含まれた第２フィルターをハウジングの内部に備える第２フィルターカートリッジ；及び前記第２フィルターカートリッジを通過した水を３次に浄化するカーボンフィルターが含まれた第３フィルターをハウジングの内部に備える第３フィルターカートリッジ；を含むことが好ましい。
【００１６】
前記第１及び第３フィルターカートリッジに結合されるそれぞれのヘッド連結部は、入水口と出水口がそれぞれ一つずつ形成され、前記第２フィルターカートリッジに結合されるヘッド連結部は、入水口、出水口及び排水口が形成されることが好ましい。
【００１７】
前記ヘッド部は、前記第１フィルターカートリッジの流入口と連通して、外部から供給された水を前記第１フィルターに流入させる第１入水口；前記第１フィルターカートリッジの流出口と連通して、第１フィルターを通過した水が排出される第１出水口；前記第２フィルターカートリッジの流入口と連通して、前記第１出水口を介して排出された水を前記第２フィルターに流入させる第２入水口；前記第２フィルターカートリッジの排出口と連通して、前記第２フィルターによって濾過された生活廃水が排出される排水口；前記第２フィルターカートリッジの流出口と連通して、第２フィルターを通過した水が排出される第２出水口；前記第３フィルターカートリッジの流入口と連通して、前記第２出水口を介して排出された水を前記第３フィルターに流入させる第３入水口；及び前記第３フィルターカートリッジの流出口と連通して、第３フィルターを通過した水が排出される第３出水口；を含むことが好ましい。
【００１８】
前記ヘッド部は、前記ヘッド部のそれぞれの入水口、出水口及び排水口と、これに対応するフィルターカートリッジの流入口、流出口及び排出口を互いに連通させる複数の連結流路を含み、前記連結流路上には、前記フィルターカートリッジが前記ヘッド部から分離されるとき、前記それぞれの入水口を介して流入される水を遮断するチェックフィッティングが取り付けられることが好ましい。
【００１９】
前記ヘッド部は、前記第２出水口と第３入水口を連通させる連結流路であるコネクターをさらに含むことが好ましい。
【００２０】
前記フィルター組立体は、前記カートリッジ連結部の外面上に軸方向に形成されるキー溝；及び前記カートリッジ連結部が結合されるヘッド連結部の内側面上に、前記キー溝と対応して形成された突出部；をさらに含むことが好ましい。
【００２１】
[有利な効果]
本発明のフィルター組立体によれば、複数のフィルターカートリッジが装着されるヘッド部を一つのモジュールで構成することで、構造が簡単で生産性が向上し、生産費用が節減される効果がある。また、フィルターカートリッジの着脱が容易であるので、使用者の便宜性が向上する効果がある。
【００２２】
[発明を実施するための最良の様態]
本発明の前記のような目的、特徴及び他の利点は、添付図面を参照して本発明の好適な実施例を詳細に説明することにより一層明らかになるであろう。以下、添付図面に基づいて本発明の実施例によるフィルター組立体を説明する。
【００２３】
図１は本発明の一実施例によるフィルター組立体の斜視図、図２は図１のフィルター組立体のヘッド部１１０とフィルターカートリッジの分解斜視図、図３は図２のヘッドカバー１１１と開閉部材１０８が除去された状態のヘッド部１１０の平面図である。
【００２４】
図１〜図３を参照すれば、本発明の一実施例によるフィルター組立体は、フィルター１３９、１４９、１５９がハウジング１３２、１４２、１５２の内部にそれぞれ内蔵された複数のフィルターカートリッジ１３０、１４０、１５０と、水が流入される入水口１０１、１０３、１０６と水が排出される出水口１０２、１０５、１０７が形成され、前記複数のフィルターカートリッジ１３０、１４０、１５０が着脱可能に結合されるヘッド部１１０とを含む。それぞれのフィルターカートリッジ１３０、１４０、１５０はカートリッジ連結部１３４、１４４、１５４を備え、このカートリッジ連結部１３４、１４４、１５４がヘッド部１１０に形成されたヘッド連結部１１２、１１３、１１４と対応するように連結され、互いに水を交換するようにする。
【００２５】
ヘッド部１１０は、ヘッドカバー１１１がヘッド部本体の上端に分離可能に結合され、ヘッド部本体には、フィルターカートリッジ１３０、１４０、１５０のカートリッジ連結部１３４、１４４、１５４と連結されるヘッド連結部１１２、１１３、１１４と、浄化される水が流入される入水口１０１、１０３、１０６と、浄化された水が排出される出水口１０２、１０５、１０７が形成され、それぞれの入水口と出水口を介して水が通過することができる複数の連結流路１６０が形成される。
【００２６】
入水口は、１次に浄化される水が流入される第１入水口１０１、２次に浄化される水が流入される第２入水口１０３、及び３次に浄化される水が流入される第３入水口１０６を含む。このような入水口１０１、１０３、１０６は、ヘッド部１１０の外周に沿って一定の間隔を置いて形成され、それぞれに水が供給されるホースなどが連結できる。
【００２７】
出水口は、１次に浄化された水が排出される第１出水口１０２、２次に浄化された水が排出される第２出水口１０５、及び３次に浄化された水が排出される第３出水口１０７を含む。このような出水口も同様に、ヘッド部１１０の外周に沿って一定の間隔を置いて形成され、入水口１０１、１０３、１０６と同様に、それぞれに水が供給されるホースなどが連結できる。
【００２８】
第１入水口１０１は第１フィルターカートリッジ１３０の流入口１３１と連通して、外部から供給された水を第１フィルター１３９に流入させる。第１出水口１０２は第１フィルターカートリッジ１３０の流出口１３３と連通して、第１フィルター１３９を通過した水が排出される。第２入水口１０３は第２フィルターカートリッジ１４０の流入口１４１と連通して、前記第１出水口１０２を介して排出された水を第２フィルター１４９に流入させる。一方、排水口１０４は第２フィルターカートリッジ１４０の排出口１４４と連通して、第２フィルター１４９を介して濾過された生活廃水が排出される。第２出水口１０５は第２フィルターカートリッジ１４０の流出口１４３と連通して、第２フィルター１４９を通過した水が排出される。
【００２９】
第３入水口１０６は第３フィルターカートリッジ１５０の流入口１５１と連通して、第２出水口１０５を介して排出された水を第３フィルター１５９に流入させる。そして、第３出水口１０７は第３フィルターカートリッジ１５０の流出口１５３と連通して、第３フィルター１５９を通過した水が排出される。一方、好ましくは、ヘッド部１１０の第２出水口１０５と第３入水口１０６はコネクター１０９で連結される。したがって、第２出水口１０５を介して排出される水はコネクター１０９を介して第３入水口１０６に迅速に流入される。
【００３０】
一方、フィルターカートリッジ１３０、１４０、１５０の流入口１３１、１４１、１５１はヘッド部１１０の入水口１０１、１０３、１０６に連結流路１６０を介して連結され、フィルターカートリッジ１３０、１４０、１５０の流出口１３３、１４３、１５３はヘッド部１１０の出水口１０２、１０５、１０７に連結流路１６０を介して連結され、第２フィルターカートリッジ１４０の排出口１４５はヘッド部１１０の排水口１０４に連結流路１６０を介して連結される。
【００３１】
図示のように、連結流路１６０は、ヘッド部１１０の入水口１０１、１０３、１０６、出水口１０２、１０５、１０７、及び排水口１０４の間に連結される水平連結流路１６１と、この水平連結流路１６１に一端が連結され、他端がフィルターカートリッジ１３０、１４０、１５０の流入口１３１、１４１、１５１、流出口１３３、１４３、１５３、及び排出口１４５に連結される垂直連結流路１６２とを含む。この際、垂直連結流路１６２は開閉部材１０８によって密閉されて水の流出を防止することができる。
【００３２】
図４はヘッド部１１０の背面斜視図である。図３及び図４を参照すれば、前記垂直連結流路１６２の内部にはフィルターカートリッジがヘッド部から分離されるとき、入水口１０１、１０３、１０６を介して流入される水を遮断するチェックフィッティング１７０が取り付けられている。このようなチェックフィッティング１７０は公知の技術であって、その作用を簡略に説明すれば次のようである。
【００３３】
入水口に水が流入されれば、弾性部材が圧力を受けながら出水口方向に圧縮されるので、弾性部材と結合されたパッキングが移動して、ボディーとの間に隙間が生じて流路が形成され、出水口に水が排出され、水の供給が減少すれば、弾性部材への圧力が解除してパッキングが元の状態に復帰するので、水の排出が遮断できる。
【００３４】
したがって、このようなチェックフィッティング１７０が適用されることにより、流入される水を手動で遮断する別途のバルブなしに、自動的に原水が遮断されるので、使用者が容易にフィルターを脱着することができる。一方、本実施例において、チェックフィッティング１７０は垂直連結流路１６２に設置されるものとして例示されているが、本発明はこれに限定されなく、水平連結流路１６１に設置されることもできる。
【００３５】
また、図１〜図３を参照すれば、本発明のフィルターカートリッジは、第１フィルターカートリッジ１３０、第２フィルターカートリッジ１４０及び第３フィルターカートリッジ１５０を含む。それぞれのフィルターカートリッジは、ハウジング１３２、１４２、１５２の内部に、それぞれの用途に適したフィルター１３９、１４９、１５９が内蔵され、ハウジングの上部には、ヘッド部１１０のヘッド連結部１１２、１１３、１１４に連結されるカートリッジ連結部１３４、１４４、１５４が形成される。
【００３６】
第１及び第３フィルターカートリッジ１３０、１５０には流入口１３１、１５１と流出口１３３、１５３がそれぞれ一つずつ形成され、第２フィルターカートリッジ１４０には、流入口１４１と流出口１４３の外に、排出口１４５がさらに形成される。
【００３７】
第１フィルターカートリッジ１３０のハウジング１３２内には第１フィルター１３９が内蔵され、第２フィルターカートリッジ１４０のハウジング１４２には第２フィルター１４９が内蔵され、第３フィルターカートリッジ１５０のハウジング１５２には第３フィルター１５９が内蔵される。
【００３８】
第１フィルター１３９は第１入水口１０１を介して流入される水を１次に浄化するフィルターであって、一般的なプレフィルターが適用可能であり、浮遊物のような相対的に大きな汚染物を濾過する。第２フィルター１４９は第１フィルター１３９で浄化された水を２次に浄化する逆浸透圧フィルターであって、一般的なメンブレインフィルターが使用できる。ここで、濾過された生活廃水は排出口１４５を介して排出される。第３フィルター１５９は第２フィルター１４９で浄化された水を３次に浄化させるフィルターであって、一般的なカーボンフィルターを利用して細菌などのような微生物を除去する。
【００３９】
一方、ヘッド部１１０にはフィルター着脱レバー１２０が取り付けられる。フィルター着脱レバー１２０は、ヘッド連結部１１２、１１３、１１４とカートリッジ連結部１３４、１４４、１５４を連結する位置である第１位置（図６参照）と、ヘッド連結部１１２、１１３、１１４とカートリッジ連結部１３４、１４４、１５４を分離させる位置である第２位置（図７参照）との間で移動する。
【００４０】
図４はヘッド部１１０の背面斜視図を示すものであり、図５は図４の分解斜視図を示すものである。
【００４１】
図４及び図５を参照すれば、フィルター着脱レバー１２０は、レバースプリング１２２を介在して前記ヘッド部１１０のヘッド連結部１１４に結合される。すなわち、レバースプリング１２２はヘッド連結部１１４の連結部本体１１５の外周面とフィルター着脱レバー１２０のレバー体１２３の内周面との間に位置し、フィルター着脱レバー１２０に弾性力を印加する。
【００４２】
本発明の一実施例によるフィルター着脱レバー１２０は、レバー体１２３と、レバー体１２３からレバー体の外周方向に突設されるカラーフランジ１２５とを含み、レバー体１２３の下端部から長手方向に形成された延長部にはロック突起１２１が突設されている。レバー体１２３は円筒状に形成されることが一般的である。
【００４３】
一方、固定部材１２４はヘッド連結部１１４の連結部本体１１５に形成された固定スリット１１７に挿入されることにより、ヘッド連結部１１４の内側方向又は外側方向に移動することができる。カートリッジ連結部１５４がヘッド連結部１１４に挿入されるとき、固定部材１２４は、カートリッジ連結部１５４の固定溝１５６（図１参照）に挿入されて、カートリッジ連結部１５４とヘッド連結部１１４を堅固に締結させることになる。
【００４４】
ヘッド連結部１１４にはプッシュ部材収容部１１６が形成され、このプッシュ部材収容部１１６にはプッシュスプリング１２８を介在してプッシュ部材１２６が挿入される。プッシュ部材１２６はプッシュスプリング１２８によって弾支される。
【００４５】
以下、図６及び図７を参照して、本発明によるフィルター組立体の着脱動作を説明する。
【００４６】
図６はフィルター着脱レバー１２０が第１位置（ヘッド連結部とカートリッジ連結部が結合されたときのフィルター着脱レバーの位置）にある状態を示すものである。
【００４７】
同図において、カートリッジ連結部１５４が挿入されるにつれて、加圧面１５５はプッシュ部材１２６を押すことになり、プッシュ部材１２６は、矢印Ｄのように、上方に移動することになる。プッシュ部材１２６が上昇することにより、プッシュ部材１２６は固定部材１２４の拘束を解除することになる。
【００４８】
同時に、フィルター着脱レバー１２０は、レバースプリング１２２の弾性力により、矢印Ｅのように移動しながら固定部材１２４を加圧することになり、前記加圧力によって固定部材１２４は、矢印Ｆのように、ヘッド連結部１１４の内側に移動することになる。
【００４９】
この際、固定部材１２４は上昇するカートリッジ連結部１５４の固定溝１５６に挿入される。よって、カートリッジ連結部１５４とヘッド連結部１１４は堅固に締結され、ヘッド部１１０とフィルターカートリッジ１５０は、水が互いに流通するように連結される。
【００５０】
図７はフィルター着脱レバー１２０が第２位置（ヘッド連結部とカートリッジ連結部が分離されたときのフィルター着脱レバーの位置）にある状態を示すものである。
【００５１】
同図において、ヘッド連結部とカートリッジ連結部が結合された状態で、フィルターカートリッジ１５０をヘッド部１１０から分離するためには、まずフィルター着脱レバー１２０を矢印Ａのように上昇させなければならない。フィルター着脱レバー１２０を上昇させることにより、固定部材１２４はフィルター着脱レバー１２０の拘束から解除される。同時に、プッシュ部材１２６は、プッシュスプリング１２８の弾性力によって矢印Ｂのように下方に移動しながら固定部材１２４を加圧することになる。プッシュ部材１２６の加圧力により、固定部材１２４は矢印Ｃのようにヘッド連結部１１４の外側方向に押し付けられ、固定部材１２４の一部はヘッド連結部１１４の外部に突出する。一方、フィルター着脱レバー１２０の下端は固定部材１２４の突出部分に係止されことにより、その位置が固定される。
【００５２】
この後、太線矢印のように、フィルターカートリッジ１５０をヘッド部１１０から分離することができる。すなわち、フィルターカートリッジ１５０のカートリッジ連結部１５４がヘッド部１１０のヘッド連結部１１４から分離できる。
【００５３】
一方、カートリッジ連結部１５４がヘッド連結部１１４と結合しない場合（図７参照）、ヘッド連結部１１４の流路は、チェックフィッティング１７０に備えられたＯリング１２９とヘッド連結部１１４の内面の結合によって閉鎖され、水は連結部の流路を通過することができない。一方、カートリッジ連結部１５４がヘッド連結部１１４に結合された場合（図６）、ヘッド連結部１１４の流路はチェックフィッティング１７０に備えられたＯリング１２９とヘッド連結部１１４の内面が分離されることにより流路が開放され、水は通過することができる。
【００５４】
図８はヘッド部とフィルターカートリッジが分離されたときの底面斜視図を示すものである。図８に示すように、カートリッジ連結部１４４の外面上には長手方向（軸方向）にキー溝１６３が形成される。そして、カートリッジ連結部１４４と結合されるヘッド連結部１１３の内側面には、キー溝１６３と対応する突出部１６４が形成されている。
【００５５】
キー溝１６３と突出部１６４は半円形又は角形に形成できる。キー溝１６３と突出部１６４が設けられることにより、フィルターカートリッジ１４０とヘッド部１１０の結合が堅くなることができ、カートリッジ結合部１４４の上部に形成された流路管が衝撃によって損傷することを防止することができる。
【００５６】
また、それぞれのカートリッジ連結部のキー溝を互い異なるように形成して、他種のフィルターカートリッジが結合されることを防止することができる。すなわち、第１、２、３フィルターカートリッジ１３０、１４０、１５０は用途が相違であり、誤結合すれば誤作動が発生するが、互いに異なるキー溝と突出部を設置することによりこれを防止することができる。
【００５７】
もちろん、フィルターカートリッジの左右を変えてヘッド部に挿入する場合にも、結合が防止されるので、一定の方向性を得ることができる。
【００５８】
以上、本発明の好適な実施例について説明したが、本発明は前述した特定の実施例に限定されない。すなわち、本発明が属する技術分野で通常の知識を持った者であれば、添付の特許請求範囲の思想及び範疇を逸脱することなしに、本発の多数の変更及び修正が可能であり、そのようなすべての適切な変更及び修正の均等物なども本発明の範囲に属するものとして見なされなければならない。
【図面の簡単な説明】
【００５９】
【図１】本発明の実施例によるフィルター組立体の斜視図である。
【図２】図１のフィルター組立体のヘッド部とフィルターカートリッジの分解斜視図である。
【図３】図２のヘッドカバーと開閉部材が除去された状態のヘッド部の平面図である。
【図４】図２のヘッド部の背面斜視図である。
【図５】図４の状態のヘッド部の分解斜視図である。
【図６】フィルター着脱レバーが第１位置（ヘッド部とフィルターカートリッジが結合された状態）にあるときのヘッド部の断面図である。
【図７】フィルター着脱レバーが第２位置（ヘッド部とフィルターカートリッジが分離された状態）にあるときのヘッド部の断面図である。
【図８】ヘッド部とフィルターカートリッジが分離されたときの状態の底面斜視図である。
【００６０】
［図面の要部に対する符号の説明］
１１０：ヘッド部
１１２：ヘッド連結部
１１３：ヘッド連結部
１１４：ヘッド連結部
１１６：プッシュ部材収容部
１１７：固定スリット
１１８：ロック溝
１２０：フィルター着脱レバー
１２１：ロック突起
１２３：レバー体
１２４：固定部材
１２６：プッシュ部材
１２８：プッシュスプリング
１３０：フィルターカートリッジ
１４０：フィルターカートリッジ
１５０：フィルターカートリッジ
１３９：フィルター
１４９：フィルター
１５９：フィルター
１３２：ハウジング
１４２：ハウジング
１５２：ハウジング
１５５：加圧面
１５６：固定溝
１６３：キー溝
１６４：突部
【図１】
2009528166.tif 000003
【図２】
2009528166.tif 000004
【図３】
2009528166.tif 000005
【図４】
2009528166.tif 000006
【図５】
2009528166.tif 000007
【図６】
2009528166.tif 000008
【図７】
2009528166.tif 000009
【図８】
2009528166.tif 000010
【国際調査報告】
2009528166.tif 000011
2009528166.tif 000012